(57)【要約】【課題】本発明は、左右全ての手指の伸展筋群と外転筋群を同時にトレーニングでき、手指の握る筋肉である屈曲筋群と内転筋群を動的ストレッチできる運動器具を提供する。【解決手段】左右全ての手指の周囲を覆うリング部を設け、左右全ての手指の適当な位置（例えば第一関節部付近）にリング部を装着し、左右の手のひら側を向かい合わせた状態で弾性素材の連結部で左右対称の手指のリング部を連結し、手の甲側に引っ張り合う事によって手指の伸展筋群（手の甲側の筋肉）がトレーニングできると同時に手指の屈曲筋（手のひら側の筋肉）を動的ストレッチできる。また、同側の手指のリング部も弾性素材の連結部で連結し、同側の手指を外側に広げる手指の外転筋のトレーニングもできると同時に手指を内側に閉じる内転筋の動的ストレッチもできる。【選択図】図１
2017077445.tif 000002
【特許請求の範囲】
【請求項１】
左右の手指にはめるリング部と、左右の手指のリング部同士をつなぐ左右手指間連結部と、右手側又は左手側の各隣接する手指のリング部同士をつなぐ隣接手指間連結部によって構成されており、手指の甲側に引っ張り合ったり、手指を横側に広げることによって、弾性素材の連結部の張力の負荷によって、手指の伸展筋群と外転筋群をトレーニングでき、手指の屈曲筋群と内転筋群を動的ストレッチできる手指伸展筋群と手指外転筋群の運動器具。
【請求項２】
請求項１のリング部は、より安定した手指の位置に装着できるように、手指の第一関節部を覆うことのできるキャップ部に密着された構成を特徴とする手指伸展筋群と手指外転筋群の運動器具。
【請求項３】
請求項１又は請求項２のリング部は、より安定した手指の位置に装着できるように、リング部の大きさを調整できる調整手段が設けられていることを特徴とする手指伸展筋群と手指外転筋群の運動器具。
【発明の詳細な説明】
【技術分野】
【０００１】  本発明は、左右全ての手指の伸展筋群（手の甲側の筋肉）と外転筋群（手指を横に広げる筋肉）を同時に効率良くトレーニングできる運動器具である。また、手指の伸展筋群と外転筋群をトレーニングする事によって疲労しがちな手指の屈曲筋群（手のひら側の筋肉）と内転筋群（手指を横に閉じる筋肉）を動的ストレッチさせ弛緩させる運動器具に関するものである。
【背景技術】
【０００２】  疲労しがちな手指の屈曲筋群と内転筋群をほぐす方法としては、手指のマッサージや手指を反らしたり広げたりする静的ストレッチが主流であった。【０００３】  従来の手指に関する運動器具は握力を鍛えるための手指の屈曲筋群をトレーニングするものが主流で、手指を握る動作と手指を広げる動作を併用して行え、手指と前腕筋を鍛える指前腕運動器具は、既に発案されている。（特許文献１）
【先行技術文献】
【特許文献】
【０００４】
【特許文献１】実用新案登録第３１７８９３２号  登録実用新案公報
【発明の概要】
【発明が解決しようとする課題】
【０００５】  疲労しがちな手指の屈曲筋群と内転筋群をほぐすために行うマッサージや静的ストレッチより、筋肉の相反性抑制という性質を利用して手指の屈曲筋群と内転筋群の拮抗筋である手指の伸展筋群と外転筋群をトレーニングさせると同時に、手指の屈曲筋群と内転筋群を動的ストレッチさせた方が手指の屈曲筋群と内転筋群を弛緩させ、ほぐす事ができる。【０００６】  しかし、特許文献１の考案は、第一指のトレーニングができず、左右全ての手指の伸展筋群と外転筋群を同時に効率良くトレーニングできるものではなかった。また、疲労しがちな手指の屈曲筋群と内転筋群を動的ストレッチさせ、弛緩させるのが目的のものではなかった。
【課題を解決するための手段】
【０００７】  本発明は、左右の手指にはめるリング部と、左右のリング部同士をつなぐ左右手指間連結部と、右手側又は左手側の各隣接する手指のリング部同士をつなぐ隣接手指間連結部によって構成されており、手指の甲側に引っ張り合ったり手指を横側に広げることによって、弾性素材の連結部の張力の負荷によって、手指の伸展筋群と外転筋群をトレーニングでき、手指の屈曲筋群と内転筋群を動的ストレッチできる手指伸展筋群と手指外転筋群の運動器具である。【０００８】  また、左右の手指にはめるリング部は、より安定した位置に装着できるように、手指の第一関節部を覆うことのできるキャップ部に密着された構成を特徴とする手指伸展筋群と手指外転筋群の運動器具である。【０００９】  また、左右の手指にはめるリング部は、より安定した位置に装着できるように、リング部の大きさを調整できる手段が設けられていることを特徴とする手指伸展筋群と手指外転筋群の運動器具である。
【発明の効果】
【００１０】  左右全ての手指の伸展筋群と外転筋群を効率良く同時にトレーニングする事ができる。筋肉の相反性抑制という性質を利用して、疲労しがちな手指の屈曲筋群と内転筋群を動的ストレッチさせ弛緩させる事ができるため、手指のマッサージやストレッチより効果が期待できる。手指を酷使する運動選手や仕事をされている方には最適なコンディショニング器具である。また、従来ある手指の屈曲筋群のトレーニングと併用して行う事によって握力強化にも繋がる可能性もある。【００１１】  また、普段使わない手指の伸展筋群と外転筋群を同時にトレーニングできるため、手指の冷えの解消や手指のリハビリにも効果が期待できる。
【図面の簡単な説明】
【００１２】
【図１】本発明を全ての手指の第一関節部付近に装着して、弾性素材の左右手指連結部を手の甲側に引っ張り合う事によって手指の伸展筋群をトレーニングすると同時に手指の屈曲筋群を動的ストレッチしている使用例を示す斜視図
【図２】本発明を全ての手指の第一関節部付近に装着して、隣接する手指の間を広げる事によって弾性素材の負荷によって手指の外転筋群をトレーニングすると同時に手指の内転筋を動的ストレッチしている使用例を示す側面図
【図３】本発明の平面図
【図４】本発明の全てのリング部にキャップ部を設け全ての手指に装着した実施例を示した状態図
【図５】本発明の左右の第一指（拇指）のリング部にキャップ部を密着させ、リング部と左右手指連結部が同じ弾性素材の場合の状態図
【発明を実施するするための形態】
【００１３】  本発明（１）は、図１と図３が示すように、全ての左右手指の周囲を覆うリング部（４ａ、４ｂ、４ｃ、４ｄ、４ｅ、５ａ、５ｂ、５ｃ、５ｄ、５ｅ）を設ける。左右の手のひらを向かい合わせた状態でリング部を手指の適当な位置に装着し、弾性素材の左右手指連結部（２）によって左右対称のリング部と繋げる。
【００１４】  また、図２と図３が示すように、同側の隣接する手指のリング部も弾性素材の隣接手指間連結部（３ａ，３ｂ、３ｄ、３ｄ、）によって繋げる。
【００１５】  リング部を全ての手指に適当な位置に固定できるように、図４と図５が示すように全ての手指の第一関節部分を覆うキャップ部（６ａ、６ｂ、６ｃ、６ｄ、６ｅ、７ａ、７ｂ、７ｃ、７ｄ、７ｅ）を設けリング部と密着させたり、リング部の大きさを調整出来る手段を設けたりする。
【００１６】  図５が示すように、左右手指間連結部がリング部と同じ弾性素材である場合は、とめ具（８）で繋いだりする。
【００１７】    図１が示すように、左右の手のひらを向い合わせた状態で、本発明を全ての手指の適当な位置に装着し、手指を真っすぐ伸ばした状態で手の甲側に向かって引っ張り合う。弾性素材の張力の負荷によって左右全ての手指の伸展筋群をトレーニングすることができ、手指の屈曲筋群を動的ストレッチすることができる。
【００１８】    図２が示すように、本発明を全ての手指に装着し手指を外側に広げる。弾性素材の張力の負荷によって手指の外転筋をトレーニングすることができ、手指の内転筋群を動的すストレッチすることができる。
【産業上の利用可能性】
【００１９】  本発明は、左右全ての手指の伸展筋群と外転筋群を同時に効率良くトレーニングする事によって、疲労して硬縮しがちな手指の屈曲筋群と内転筋群を動的ストレッチし弛緩する事ができるため、手指を酷使する運動選手や仕事をされている方には最適なコンディショニング器具である。また、握力強化にも繋がる可能性もある。【００２０】  また、普段使わない手指の筋肉をトレーニングできるため、手指の冷えの解消やリハビリにも使用できる。
【符号の説明】
【００２１】１、運動器具
２、左右手指間連結部
３ａ、第一指と第二指の隣接手指間連結部
３ｂ、第二指と第三指の隣接手指間連結部
３ｃ、第三指と第四指の隣接手指間連結部
３ｄ、第四指と第五指の隣接手指間連結部
４ａ、右手指第一指リング部
４ｂ、右手指第二指リング部
４ｃ、右手指第三指リング部
４ｄ、右手指第四指リング部
４ｅ、右手指第五指リング部
５ａ、左手指第一指リング部
５ｂ、左手指第二指リング部
５ｃ、左手指第三指リング部
５ｄ、左手指第四指リング部
５ｅ、左手指第五指リング部
６ａ、右手指第一指キャップ部
６ｂ、右手指第二指キャップ部
６ｃ、右手指第三指キャップ部
６ｄ、右手指第四指キャップ部
６ｅ、右手指第五指キャップ部
７ａ、左手指第一指キャップ部
７ｂ、左手指第二指キャップ部
７ｃ、左手指第三指キャップ部
７ｄ、左手指第四指キャップ部
７ｅ、左手指第五指キャップ部
８、とめ具
【図１】
2017077445.tif 000003
【図２】
2017077445.tif 000004
【図３】
2017077445.tif 000005
【図４】
2017077445.tif 000006
【図５】
2017077445.tif 000007
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
左右の手の第一指ないし第五指の第一関節付近にそれぞれ装着される左手指第一指ないし第五指リング部及び右手指第一指ないし第五指リング部と、左手指第一指リング部と右手指第一指リング部の間、左手指第二指リング部と右手指第二指リング部の間、左手指第三指リング部と右手指第三指リング部の間、左手指第四指リング部と右手指第四指リング部の間、左手指第五指リング部と右手指第五指リング部の間に、それぞれ独立して架け渡され、左右の手のそれぞれにおいて対応する手指の間に張力を与える左右手指間連結部と、左手指及び右手指の第一指リング部と同第二指リング部の間、同第二指リング部と同第三指リング部の間、同第三指リング部と同第四指リング部の間、同第四指リング部と同第五指リング部の間に、それぞれ架け渡され、左右の手のそれぞれにおいて隣接する手指の間に張力を与える隣接手指間連結部とから構成されており、各連結部の弾性素材の張力の負荷によって手指の伸展筋群と外転筋群をトレーニングでき、手指の屈曲筋群と内転筋群を動的ストレッチできる手指伸展筋群と手指外転筋群の運動器具。
【請求項２】
前記左手指第一指ないし第五指リング部及び右手指第一指ないし第五指リング部は、より安定した手指の位置に装着できるように、手指の第一関節部を覆うことのできるキャップ部に密着された構成を特徴とする請求項１に記載の手指伸展筋群と手指外転筋群の運動器具。
【請求項３】
前記左手指第一指ないし第五指リング部及び右手指第一指ないし第五指リング部は、より安定した手指の位置に装着できるように、リング部の大きさを調整できる調整手段が設けられていることを特徴とする請求項１又は請求項２に記載の手指伸展筋群と手指外転筋群の運動器具。
【手続補正２】
【補正対象書類名】明細書
【補正対象項目名】０００７
【補正方法】変更
【補正の内容】
【０００７】  本発明は、左右の手の第一指ないし第五指の第一関節付近にそれぞれ装着される左手指第一指ないし第五指リング部及び右手指第一指ないし第五指リング部と、左手指第一指リング部と右手指第一指リング部の間、左手指第二指リング部と右手指第二指リング部の間、左手指第三指リング部と右手指第三指リング部の間、左手指第四指リング部と右手指第四指リング部の間、左手指第五指リング部と右手指第五指リング部の間に、それぞれ独立して架け渡され、左右の手のそれぞれにおいて対応する手指の間に張力を与える左右手指間連結部と、左手指及び右手指の第一指リング部と同第二指リング部の間、同第二指リング部と同第三指リング部の間、同第三指リング部と同第四指リング部の間、同第四指リング部と同第五指リング部の間に、それぞれ架け渡され、左右の手のそれぞれにおいて隣接する手指の間に張力を与える隣接手指間連結部とから構成されており、各連結部の弾性素材の張力の負荷によって手指の伸展筋群と外転筋群をトレーニングでき、手指の屈曲筋群と内転筋群を動的ストレッチできる手指伸展筋群と手指外転筋群の運動器具である。
【手続補正３】
【補正対象書類名】明細書
【補正対象項目名】０００８
【補正方法】変更
【補正の内容】
【０００８】前記発明において、前記左手指第一指ないし第五指リング部及び右手指第一指ないし第五指リング部は、より安定した手指の位置に装着できるように、手指の第一関節部を覆うことのできるキャップ部に密着された構成を特徴とする手指伸展筋群と手指外転筋群の運動器具である。
【手続補正４】
【補正対象書類名】明細書
【補正対象項目名】０００９
【補正方法】変更
【補正の内容】
【０００９】前記発明において、前記左手指第一指ないし第五指リング部及び右手指第一指ないし第五指リング部は、より安定した手指の位置に装着できるように、リング部の大きさを調整できる調整手段が設けられていることを特徴とする手指伸展筋群と手指外転筋群の運動器具である。